(57)【特許請求の範囲】
【請求項１】
内部に内容物が収容される有底筒状の容器本体と、
前記容器本体の上端開口部を塞ぐ頂壁部を有し、前記容器本体に容器軸回りに回転可能に装着された回転操作体と、
前記容器本体の内部に配置され、前記回転操作体に対して一体に連結され、前記回転操作体と共に容器軸回りに回転する円筒状の回転体と、
前記容器本体内に上下摺動可能に嵌合されると共に、前記回転体の外周面に螺合され、前記回転操作体の回転に伴って上昇移動する中皿と、を備え、
前記容器本体の周壁部には、径方向外側に突出する縦リブが形成され、
前記回転操作体には、径方向内側に向けて突出すると共に、前記回転操作体が容器軸回りの一方向に回転させられたときに前記縦リブを乗り越えて、前記回転操作体の回転移動を許容し、且つ前記回転操作体が容器軸回りの他方向に回転させられたときに前記縦リブに接触して、前記回転操作体の回転移動を規制する爪部が形成され、
前記頂壁部には、前記内容物を吐出させる吐出口が形成されていると共に、前記中皿が上昇端位置まで上昇した際に該中皿によって押し上げられて前記頂壁部よりも上方に突出する押上部材が設けられ、
前記押上部材は、前記吐出口内に上方移動可能に嵌合され、その内側が前記容器本体の内部に連通する吐出路とされた環状の周壁部を有する筒状に形成され、
前記周壁部のうち前記容器本体の内部に入り込んだ下端部には、該周壁部の径方向外側に突出するように形成され、前記中皿との接触によって押し上げられると共に、前記吐出口からの前記押上部材の上方への抜けを規制する鍔部が形成されていることを特徴とする吐出容器。
【請求項２】
請求項１に記載の吐出容器において、
前記押上部材は、前記周壁部の上端開口部を塞ぐと共に、該押上部材が前記内容物によって押し上げられた時に前記頂壁部よりも上方に移動する天壁部を有する有頂筒状に形成され、
前記周壁部の上端部には、前記吐出路内の前記内容物を吐出させる開口部が形成されていることを特徴とする吐出容器。
【請求項３】
請求項１又は２に記載の吐出容器において、
前記頂壁部を着脱自在に覆うオーバーキャップを備え、
前記オーバーキャップには、突出した前記押上部材を押し下げ可能な押圧部が設けられていることを特徴とする吐出容器。
【発明の詳細な説明】
【技術分野】
【０００１】
本発明は、中皿の上昇によって内容物を吐出させる吐出容器に関するものである。
【背景技術】
【０００２】
この種の容器として、内容物が収容された容器体と、該容器体内に配設された中皿を上昇させる回転操作ハンドルと、を具備する中皿上昇式の容器が知られている（特許文献１参照）。この容器によれば、回転操作ハンドルを回転させることで中皿を上昇させて内容物を押し上げることができ、容器体の頂壁部に形成された吐出孔から内容物を吐出することが可能とされている。
【先行技術文献】
【特許文献】
【０００３】
【特許文献１】特開２００８−２１３８５９号公報
【発明の概要】
【発明が解決しようとする課題】
【０００４】
しかしながら、上記従来の容器では、中皿が上昇端位置まで上昇したか否かを容易に把握することが難しく、内容物を最後まで使い切れなかったり、回転操作ハンドルを余計に回転させてしまったりする等の問題があった。
【０００５】
この発明は、このような事情を考慮してなされたもので、その目的は、中皿が上昇端位置に移動したことを容易に把握でき、内容物を最後まで使い切り易い吐出容器を提供することである。
【課題を解決するための手段】
【０００６】
上記の目的を達成するために、この発明は以下の手段を提供している。
（１）本発明に係る吐出容器は、内部に内容物が収容される有底筒状の容器本体と、前記容器本体の上端開口部を塞ぐ頂壁部を有し、前記容器本体に容器軸回りに回転可能に装着された回転操作体と、前記容器本体の内部に配置され、前記回転操作体に対して一体に連結され、前記回転操作体と共に容器軸回りに回転する円筒状の回転体と、前記容器本体内に上下摺動可能に嵌合されると共に、前記回転体の外周面に螺合され、前記回転操作体の回転に伴って上昇移動する中皿と、を備え、前記容器本体の周壁部には、径方向外側に突出する縦リブが形成され、前記回転操作体には、径方向内側に向けて突出すると共に、前記回転操作体が容器軸回りの一方向に回転させられたときに前記縦リブを乗り越えて、前記回転操作体の回転移動を許容し、且つ前記回転操作体が容器軸回りの他方向に回転させられたときに前記縦リブに接触して、前記回転操作体の回転移動を規制する爪部が形成され、前記頂壁部には、前記内容物を吐出させる吐出口が形成されていると共に、前記中皿が上昇端位置まで上昇した際に該中皿によって押し上げられて前記頂壁部よりも上方に突出する押上部材が設けられ、前記押上部材は、前記吐出口内に上方移動可能に嵌合され、その内側が前記容器本体の内部に連通する吐出路とされた環状の周壁部を有する筒状に形成され、前記周壁部のうち前記容器本体の内部に入り込んだ下端部には、該周壁部の径方向外側に突出するように形成され、前記中皿との接触によって押し上げられると共に、前記吐出口からの前記押上部材の上方への抜けを規制する鍔部が形成されていることを特徴とする。
【０００７】
本発明に係る吐出容器によれば、容器本体に対して回転操作体を容器軸回りに回転させることで中皿を上昇移動させることができるので、容器本体の内部に収容されている内容物を押し上げて頂壁部に形成された吐出口から吐出することができる。この際、回転操作体の回転操作で中皿を徐々に上昇させることができるので、内容物を少しずつ繰り出しながら（押し出しながら）確実に吐出でき、使い易く簡便である。
【０００８】
ところで、使用中に中皿が上昇端位置まで上昇すると、押上部材が中皿によって押し上げられて頂壁部よりも上方に突出する。そのため、使用者はこの突出した押上部材により中皿が上昇端位置まで上昇移動したことを容易に把握することができ、内容物の残量が無くなったことを認識し易い。従って、内容物を残すことなく最後まで使い切り易いうえ、回転操作体をそれ以上余計に回転操作してしまい難い。
【００１０】
さらに、押上部材が吐出口の内側に配設されているので、例えば内容物の吐出中に押上部材が突出したことをより容易且つ速やかに把握することができる。
【００１２】
さらに、押上部材が筒状に形成され、周壁部の内側が吐出路とされているので、該押上部材が内容物の吐出を妨げ難い。従って、内容物を抵抗少なく滑らかに吐出させることができ、吐出性能を向上させることができる。
【００１３】
（２）上記本発明に係る吐出容器において、前記押上部材が、前記周壁部の上端開口部を塞ぐと共に、該押上部材が前記内容物によって押し上げられた時に前記頂壁部よりも上方に移動する天壁部を有する有頂筒状に形成され、前記周壁部の上端部には、前記吐出路内の前記内容物を吐出させる開口部が形成されていても良い。
【００１４】
この場合には、中皿の上昇によって内容物が押し上げられると、該内容物が周壁部内の吐出路に流入すると共に押上部材自在を上方に突出させ、天壁部を頂壁部よりも上方に突出させる。そして、この突出により周壁部の上端部も頂壁部よりも上方に突出するので、該周壁部に形成された開口部を通じて吐出路内に流入した内容物を外部に吐出させることができる。
【００１５】
ところで、上記したように内容物を吐出させる度に押上部材は上方に突出するが、中皿が上方端位置に未到達のときには押し込みによって該押上部材を元の位置に復帰させることが可能であり、その反面中皿が上方端位置に移動したときには押し込むことができず突出したままの状態が維持される。従って、押上部材によって中皿が上昇端位置まで移動したことを容易に把握することができ、上記した作用効果を同様に奏効することができる。
特に、未使用状態時に、押上部材の天壁部が容器本体の内部に連通する吐出路を塞いでシールするので、内容物への塵埃等の混入や内容物の乾燥等を防ぐことができる。
【００１６】
（３）上記本発明に係る吐出容器において、前記頂壁部を着脱自在に覆うオーバーキャップを備え、前記オーバーキャップには、突出した前記押上部材を押し下げ可能な押圧部が設けられていても良い。
【００１７】
この場合には、内容物を吐出させた際にその内容物によって押上部材が押し上げられたとしても、オーバーキャップを装着することで、該オーバーキャップに設けられた押圧部によって押上部材を押し下げることができる。
また、中皿が上昇端位置まで移動している状態では、オーバーキャップの押圧部によって押上部材を押し下げることができないため、オーバーキャップを完全に装着することができなくなり、それにより使い切り状態を容易に認識することができる。
【発明の効果】
【００１８】
本発明に係る吐出容器によれば、中皿が上昇端位置に移動したことを容易に把握できるので、内容物を最後まで十分に使い切り易いうえ、回転操作体を余計に回転操作してしまい難い。
【図面の簡単な説明】
【００１９】
【図１】本発明の実施形態に係る吐出容器の縦断面図である。
【図２】図１に示す吐出容器からオーバーキャップを取り外した後、回転操作蓋を回転させて中皿を上昇端位置まで上昇させた状態を示す図である。
【図３】図１に示す吐出容器の変形例を示す縦断面図である。
【図４】図３に示す状態から、回転操作蓋を回転させて中皿を上昇端位置まで上昇させた状態を示す図である。
【発明を実施するための形態】
【００２０】
以下、本発明に係る吐出容器の実施形態について図面を参照して説明する。
（吐出容器の構成）
本実施形態の吐出容器１は、図１に示すように、容器軸Ｏに沿って延びる略有底円筒状に形成され、内部に図示しない内容物（例えば、クリーム状或いはゲル状の内容物）が収容される容器本体２と、容器軸Ｏ回りに回転可能に容器本体２に装着された回転操作蓋（回転操作体）３と、容器本体２内に配設され、回転操作蓋３の回転に伴って上昇移動する中皿４と、回転操作蓋３の上から容器本体２に被せられるオーバーキャップ５と、を備えている。
【００２１】
なお、本実施形態では、容器軸Ｏに直交する方向を径方向、容器軸Ｏを中心に周回する方向を周方向とする。また、容器軸Ｏ方向に沿ってオーバーキャップ５側を上側、容器本体２の底壁部１０側を下側とする。更に、周方向のうち半時計方向である周方向の一方向を吐出方向Ｔとする。
【００２２】
容器本体２は、底壁部１０と周壁部１１とを備えていると共に、周壁部１１の上端部分には径方向外側に向けて突出した環状の係止部１２ａを有する係止筒部１２が形成されている。また、この係止筒部１２には、係止部１２ａの下端から該係止筒部１２の下端部に亘って径方向外側に突出する縦リブ１３が形成されている。図示の例では、係止筒部１２の周方向の１箇所に縦リブ１３が形成されている。但し、縦リブ１３は周方向に間隔を開けて複数形成されていても構わない。
【００２３】
また、この容器本体２には、係止筒部１２の下端部分から径方向外側に向けて突出すると共に、下方に向けて延びる外筒部１４が設けられている。この外筒部１４は、上記底壁部１０よりも下方に延びており、下端縁が接地されている。そして、外筒部１４の上端部分には、オーバーキャップ５が螺着されるねじ部１４ａが形成されている。
容器本体２の底壁部１０の中心部には、容器軸Ｏに沿って上方に延びる円柱状の支柱部１５が立設されている。この支柱部１５は、後述する回転体２０を回転自在に支持する部材であり、その突出高さは容器本体２の周壁部１１の高さの例えば略１／３程度とされている。
【００２４】
容器本体２の内部には、回転操作蓋３に一体的に連結され、該回転操作蓋３と共に回転する回転体２０が配設されている。この回転体２０は、容器軸Ｏに沿って底壁部１０から係止筒部１２の上端縁まで延びる円筒状の部材であり、下端部分が上記支柱部１５に回転自在に外嵌されることで容器軸Ｏ回りに回転自在に支持されている。
回転体２０の下端部には、径方向外側に突出する環状のフランジ部２１が形成されており、該フランジ部２１が容器本体２の底壁部１０に接している。これにより回転体２０は、安定した状態で回転支持されている。
【００２５】
また、回転体２０の外周面には、略全長に亘って中皿４を構成する後述する第１中皿部５０の内筒部５３が螺合される雄ねじ部２２が形成されている。更に、回転体２０の内周面には、径方向内側に突出する縦リブ状のキー部２３が放射状に突設されている。図示の例では、上端部よりも若干下方に位置した部分から下端部に亘ってキー部２３が形成されている。
【００２６】
回転操作蓋３は、有頂筒状の操作蓋本体３０と、該操作蓋本体３０に被せられた有頂筒状のカバー蓋４０と、を備えている。
操作蓋本体３０は、容器本体２の係止筒部１２を径方向外側から囲む装着筒部３１と、該装着筒部３１の上端部に連設され、パッキン３２を間に挟んで容器本体２の上端開口部を塞ぐ略円板状の頂壁部３３と、を有している。
【００２７】
装着筒部３１には、係止筒部１２の係止部１２ａにアンダーカット嵌合する係合部３４が径方向内側に向けて環状に突設されている。これにより、回転操作蓋３は、上方に抜け止めがなされた状態で容器本体２に容器軸Ｏ回りに回転可能に装着されている。そして、上記係合部３４よりも下方に位置する装着筒部３１の下端部には、径方向内側に向けて突設された爪部３５が周方向に間隔を開けて複数形成されている。
【００２８】
これら爪部３５は、径方向内端部が容器本体２の係止筒部１２に近接していると共に、周方向に面が向いた２つの側面を有している。これら２つの側面のうち一方の側面は、回転操作蓋３が吐出方向Ｔに回転させられた時に係止筒部１２に形成された上記縦リブ１３を乗り越えるテーパー面３５ａとされ、他方の側面は、回転操作蓋３が吐出方向Ｔとは反対方向に回転させられた時に上記縦リブ１３に接触して回転移動を規制する垂直面３５ｂとされている。
つまり、爪部３５及び縦リブ１３は、回転操作蓋３の回転方向を一方向、即ち吐出方向Ｔに規制するためのラチェット機構として機能している。
【００２９】
更に、装着筒部３１の上端部には、径方向内側に凹むと共に下方に向かって延在した凹リブ３６が形成されている。この凹リブ３６は、周方向に間隔を開けて放射状に複数形成されている。
【００３０】
頂壁部３３には、容器本体２の内部に連通し、内容物が吐出される平面視略円形状の吐出口３７が形成されていると共に、その中央部には容器軸Ｏに沿って下方に向けて突設され、上記回転体２０内に内嵌される円筒状の係合筒３８が形成されている。
係合筒３８の外周面には、径方向内側に凹み、回転体２０に形成された上記キー部２３が嵌め込まれる複数のキー溝３９が放射状に形成されている。そして、キー部２３とキー溝３９との係合により、操作蓋本体３０と回転体２０とは容器軸Ｏ回りに相対的に回転不能に係合されている。これにより、回転体２０は操作蓋本体３０の回転に伴って回転可能とされている。
【００３１】
カバー蓋４０は、操作蓋本体３０の装着筒部３１をさらに径方向外側から囲む周壁部４１と、該周壁部４１の上端部に連設され、操作蓋本体３０の頂壁部３３を覆う平面視略円形状の天板部４２と、を有している。
周壁部４１の上端部分内面には、径方向内側に向かって突設され、操作蓋本体３０の装着筒部３１に形成された凹リブ３６に嵌め込まれる複数の凸リブ４３が放射状に形成されている。そして、凹リブ３６と凸リブ４３との係合により、操作蓋本体３０とカバー蓋４０とは容器軸Ｏ回りに相対的に回転不能に係合されている。
【００３２】
天板部４２には、操作蓋本体３０の頂壁部３３に形成された吐出口３７内に内嵌される円筒状の吐出筒部４４が形成されている。この際、吐出口３７内に吐出筒部４４を圧入等して、操作蓋本体３０とカバー蓋４０とを互いに一体的に組み合わせることが好ましい。
また、この天板部４２は下方に向かって湾曲しており、吐出口３７から吐出された内容物を零し難くすると共に、例えば指先等で容易に掬い取ることを可能とさせる窪み部４５を画成している。
【００３３】
中皿４は、容器本体２の周壁部１１に上下摺動可能に嵌合され、容器本体２内を上昇移動する環状部材であって、一体的に組み合わされた第１中皿部５０及び第２中皿部５１と、両中皿部５０、５１の間に固定されたパッキン部材５２と、を備えている。
【００３４】
第１中皿部５０は、回転体２０を径方向外側から囲繞する内筒部５３と、容器本体２の周壁部１１に当接する外筒部５４と、内筒部５３と外筒部５４とを全周に亘って連結すると共に内容物を容器本体２内において第１中皿部５０よりも上方に閉じ込める隔壁板５５と、を備えている。
【００３５】
内筒部５３の内周面には、回転体２０に形成された雄ねじ部２２に螺合する雌ねじ部５６が形成されている。外筒部５４は、中間部分が径方向内側に若干凹み、上端部と下端部とが全周に亘って容器本体２の周壁部１１に当接している。そのため、適度な摩擦力で周壁部１１に接しており、滑らかな摺動移動が可能とされている。
なお、この場合に限られず、外筒部５４の外周面全体が容器本体２の周壁部１１に当接したり、外筒部５４の外周面の一箇所のみに全周に亘る当接部を形成したりしても構わない。
【００３６】
隔壁板５５は、径方向内端部が内筒部５３の上端部に全周に亘って連設していると共に、径方向外端部が外筒部５４の中間部分に全周に亘って連設している。図示の例では、隔壁板５５は垂壁部５５ａによって下方に向けて段付き形状とされており、外筒部５４に連設している径方向外端部が、内筒部５３に連設している径方向内端部よりも下方に位置している。
また、この隔壁板５５には、内筒部５３を径方向外側から囲繞する中間筒部５７が形成されている。この中間筒部５７は、内筒部５３から径方向外側に離間した位置から該内筒部５３よりも下方に向かって延びた筒体であり、その内周面には径方向内側に向かって突出する縦リブ５７ａが全長に亘って形成されている。なお、この縦リブ５７ａは周方向に間隔を開けて複数形成されている。
【００３７】
上記のように構成された第１中皿部５０は、外筒部５４が適度な摩擦力で容器本体２の周壁部１１に当接しているので、回転体２０と共に共回りすることなく上昇移動可能とされている。なお、中皿４及び容器本体２の横断面形状を例えば楕円や角形等の非円形状とすることで、共回りをより確実に防止することができる。また、回転体２０に形成された雄ねじ部２２は、回転体２０が吐出方向Ｔに向けて回転させられたきに第１中皿部５０を上昇させるようにねじ溝の向きが調整されている。
【００３８】
パッキン部材５２は、例えば合成ゴムやエラストマー等の弾性部材で厚みを有する外形矩形状に形成されており、第１中皿部５０の内筒部５３の下端部に接した状態で中間筒部５７の内側に固定されている。この際、中間筒部５７に形成された縦リブ５７ａ間にパッキン部材５２の辺部が挟み込まれており、これにより回転体２０の回転力に起因する該パッキン部材５２の回転ずれが抑制されている。
【００３９】
パッキン部材５２の中央部には、回転体２０が挿通される開口部が形成されており、該開口部の内周面が回転体２０に対して接している。この際、開口部の内周面を回転体２０に対して圧接させても構わないし、内周面を回転体２０の雄ねじ部２２のねじ溝に入り込むねじ状に形成しても構わない。図示の例では、開口部の内周面がねじ状に形成されている。
このように形成されたパッキン部材５２は、雄ねじ部２２のねじ溝に沿って内容物が流動してしまうことを規制しながら、第１中皿部５０と共に上昇移動可能とされている。
【００４０】
なお、上記パッキン部材５２を例えば中間筒部５７の内側に固定されるリング状に形成し、中間筒部５７に形成された複数の縦リブ５７ａをパッキン部材５２の外縁部に喰い込ませることで、該パッキン部材５２の回転ずれを抑制するように構成しても構わない。この場合であっても、パッキン部材５２の径方向内端部を回転体２０に対して圧接させても構わないし、ねじ状に形成しても構わない。
【００４１】
第２中皿部５１は、第１中皿部５０に対して下方から一体的に重ね合わされており、第１中皿部５０の中間筒部５７の下端部に接する環状の底板部６０と、該底板部６０の径方向内端部に連設され、上記パッキン部材５２を第１中皿部５０の内筒部５３との間で挟み込む固定筒部６１と、底板部６０の径方向外端部に連設され、中間筒部５７を径方向外側から囲繞する囲繞筒部６２と、該囲繞筒部６２の上端部に連設され、径方向外側に突出して第１中皿部５０の隔壁板５５に重なると共に垂壁部５５ａの内側に嵌め込まれる積層板６３と、を備えている。
【００４２】
ところで、本実施形態の回転操作蓋３には、上記中皿４が容器本体２の上昇端位置まで上昇した際に該中皿４によって押し上げられて、カバー蓋４０の天板部４２よりも上方に突出する押上筒部（押上部材）７０が設けられている。
【００４３】
押上筒部７０は、吐出口３７の内側に上方移動可能に配設されている。具体的には、押上筒部７０はカバー蓋４０の吐出筒部４４を介して吐出口３７に上方移動可能に嵌合される周壁部７１を有した円筒状に形成されていると共に、周壁部７１から径方向外側に突出した環状の突起部７１ａが吐出筒部４４に形成された環状凹部４４ａに嵌り込むことで位置決めされている。この際、押上筒部７０は、周壁部７１の上端部が天板部４２に対して略面一とされ、且つ周壁部７１の下端部がパッキン３２よりも下方に延びて容器本体２の内部に入り込んだ状態で位置決めされている。
【００４４】
また、周壁部７１の下端部には径方向外側に突出した鍔部７２が形成されており、中皿４が上昇端位置まで上昇してきた際、第１中皿部５０の隔壁板５５に安定的に接しながら押し上げられると共に上方への抜け落ちが規制されている。また、周壁部７１の内側は、容器本体２の内部に連通する吐出路Ｒとされている。
【００４５】
オーバーキャップ５は、天壁部と周壁部とからなる有頂円筒状に形成されており、外筒部１４に形成されたねじ部１４ａに螺着されることで容器本体２に着脱自在に装着されている。このオーバーキャップ５の天壁部には、回転操作蓋３の窪み部４５と略同形状の突出部（押圧部）５ａが形成されている。
【００４６】
（吐出容器の使用）
次に、上記のように構成された吐出容器１を使用する場合について説明する。
まず、オーバーキャップ５を回転させて容器本体２から取り外した後、操作蓋本体３０とカバー蓋４０とが回転不能に係合されている回転操作蓋３を容器本体２に対して容器軸Ｏ回りの吐出方向Ｔに回転させる。これにより、操作蓋本体３０に対して回転不能に係合されている回転体２０を吐出方向Ｔに回転させることができ、その結果中皿４を上昇移動させることができる。
すると、中皿４の上昇移動によって、容器本体２内に収容されている内容物が圧力を受けて上方に押し上げられる。そのため、吐出口３７に取り付けられた押上筒部７０の吐出路Ｒを通じて内容物を天板部４２の窪み部４５に吐出することができる。
【００４７】
この際、回転操作蓋３の回転操作で中皿４を徐々に上昇させることができるうえ、内容物全体に均等に圧力を付与して押し上げることができるので、該内容物を少しずつ繰り出しながら確実に吐出することができ、使い易く簡便である。
【００４８】
ところで、図２に示すように使用中に中皿４が容器本体２内の上昇端位置（例えば、隔壁板５５がパッキン３２に接する位置）まで上昇すると、押上筒部７０が第１中皿部５０の隔壁板５５によって押し上げられて、上端部が回転操作蓋３の天板部４２よりも上方に突出する。そのため、使用者はこの突出した押上筒部７０により中皿４が上昇端位置まで上昇移動したことを容易に把握することができ、内容物の残量がほぼ無くなったことを認識し易い。従って、内容物を残すことなく最後まで十分使い切り易いうえ、回転操作蓋３をそれ以上余計に回転操作してしまい難い。
【００４９】
また、上記押上筒部７０は吐出口３７の内側に配設されているので、内容物の吐出中に押上筒部７０が突出したことを容易且つ速やかに把握することができる。また、この押上筒部７０は円筒状に形成されて、周壁部７１の内側が吐出路Ｒとされているので、使用中に押上筒部７０が内容物の吐出具合を妨げ難く、内容物を抵抗少なく滑らかに吐出させることができる。
【００５０】
また、オーバーキャップ５には突出部５ａ（図１参照）が形成されているので、仮に中皿４が上昇端位置となる前に、押上筒部７０が上記天板部４２よりも上方に突出してしまった場合であっても、オーバーキャップ５を装着するだけでこの押上筒部７０を元の位置に押し下げることが可能である。更に、中皿４が上昇端位置にある場合には、オーバーキャップ５が正しく装着されなくなり、視覚だけでなく触覚でも内容物の使い切り状態を認識することができる。
なお、上記突出部５ａは、押上筒部７０を押し下げ可能とされていれば良く、例えば環状の突出部等、種々の形状を採用することができる。
【００５１】
なお、上記実施形態では、回転操作蓋３を操作蓋本体３０及びカバー蓋４０で構成したが、カバー蓋４０は必須なものではなく具備しなくても良い。この場合には、中皿４が上昇端位置まで移動した際に、押上筒部７０が操作蓋本体３０の頂壁部３３よりも上方に突出するように構成すれば良い。
また、上記実施形態では、オーバーキャップ５を容器本体２に対して装着させたが、回転操作蓋３に対して着脱自在に装着させても構わない。
【００５２】
なお、本発明の技術範囲は、上記実施形態に限定されるものではなく、本発明の趣旨を逸脱しない範囲において、種々の変更を加えることが可能である。
【００５３】
例えば、上記実施形態では、押上部材として円筒状の押上筒部７０を例に挙げて説明したが、この場合に限られず、例えば円柱状やピン状に形成し、例えば、吐出口３７に内嵌されているカバー蓋４０の吐出筒部４４の中心部に上方移動可能に配設しても構わない。この場合であっても、中皿４が上昇端位置まで上昇移動した際に、押上部材を上方に押し上げることができ同様の作用効果を奏効することができる。
【００５４】
更には、押上部材を円柱状やピン状等に形成した場合、吐出口３７とは別に操作蓋本体３０の頂壁部３３に開口を形成し、該開口内に配置しても良く、また押上部材の外周面と吐出口３７の内周面との間を吐出路Ｒとするように設けても良い。
これらの場合であっても同様の作用効果を奏効することができる。但し、押上部材を吐出口３７の内側に配設した場合には、押上部材の取付けが容易になるうえ、より容易に押上部材の突出を把握し易くなるので、好ましい。
【００５５】
また、上記実施形態では、中皿４が上昇端位置に達したときに押上筒部７０が押し上げられる構成としたが、押上筒部７０の長さを調整することによって内容物の残量を押上筒部７０の突出具合で表示させることも可能である。
例えば、上昇端位置に達する手間の位置で中皿４が押上筒部７０を押し上げる構成とすることで、内容物を完全に使い切る前に残量が少なくなったことを知らせることができ、これにより使用者は買い替え時期等を事前に把握することができる。また、この場合、押上筒部７０に複数の表示機能（例えば、外面への印刷や多段形状の成形等）を持たせ、押上筒部７０の突出部分（露出部分）の状況から段階的に内容物の残量を使用者に把握させ易い構成にすることも可能である。
【００５６】
また、上記実施形態において、図３及び図４に示すように押上筒部（押上部材）９０を形成しても構わない。
この場合の押上筒部９０は、上記周壁部７１と、周壁部７１の上端開口部を塞ぐ天壁部９２と、を有する有頂筒状に形成されている。天壁部９２は、使用中に吐出路Ｒ内に吐出されてきた内容物によって押し上げられて天板部４２よりも上方に移動される。
【００５７】
また、周壁部７１の上端部には、吐出路Ｒ内と外部とを連通させて吐出路Ｒ内に流入してきた内容物を吐出させる開口部９３が形成されている。図示の例では、周方向に間隔を開けて複数の開口部９３が形成されている。
更に、周壁部７１の上端部には、上記開口部９３が形成されていない部分に、吐出筒部４４に形成された環状凹部４４ａに嵌り込む図示しない突起部が径方向外側に向けて突設されている。そして、突起部が環状凹部４４ａに嵌り込むことで、押上筒部９０は天壁部９２が天板部４２に対して略面一とされた状態で位置決めされている。
【００５８】
このように構成された押上筒部９０を具備する吐出容器８０によれば、該押上筒部９０が有頂筒状に形成されているので、内容物を吐出する度に該押上筒部９０が天板部４２よりも上方に突出する。つまり、中皿４の上昇によって内容物が押し上げられると、該内容物が周壁部７１内の吐出路Ｒ内に流入した後に天壁部９２を押し上げるので、押上筒部９０自体を上方に突出させることができる。これにより、押上筒部９０の周壁部７１の上端部が天板部４２よりも上方に突出するので、開口部９３を通じて吐出路Ｒ内に流入した内容物を窪み部４５に吐出することができる。
【００５９】
ところで、上記したように押上筒部９０は内容物が吐出される度に上方に突出するが、中皿４が上方端位置に未到達の場合（図３に示す場合）には、例えば指先による押し下げやオーバーキャプ５の装着による突出部５ａの押し下げによって該押上筒部９０を元の位置に復帰させることができる。これに対して、中皿４が上方端位置まで上昇移動した場合（図４に示す場合）には、押上筒部９０を押し込むことができないので、該押上筒部９０は突出したままの状態に維持される。
【００６０】
従って、押上筒部９０によって中皿４が上昇端位置まで移動したことを容易に把握することができ、上記実施形態と同様の作用効果を奏効することができる。
特に、この場合には、未使用状態時に押上筒部９０の天壁部９２が容器本体２の内部に連通する吐出路Ｒを塞いでシールするので、外部から内容物への塵埃等が混入したり、内容物が乾燥等したりしてしまうこと等を抑制し易い。
【００６１】
また、上記実施形態では、回転操作体の一例として、頂壁部３３を具備する有頂円筒状の回転操作蓋３を例に挙げて説明したが、頂壁部を容器本体２に固定し、回転操作体とは別部材としても構わない。
この場合には、例えば容器本体２の底壁部１０側に回転操作体を形成し、該回転操作体と回転体２０とを直接回転不能に係合（又は、一体に成形）させ、回転操作体の回転に伴って回転体２０が回転可能となるように構成すれば良い。
このように構成した場合であっても、同様の作用効果を奏効させることができる。
【符号の説明】
【００６２】
Ｏ…容器軸
Ｒ…吐出路
１、８０…吐出容器
２…容器本体
３…回転操作蓋（回転操作体）
４…中皿
５…オーバーキャップ
５ａ…突出部（オーバーキャップの押圧部）
３３…頂壁部
３７…吐出口
７０、９０…押上筒部（押上部材）
７１…押上部材の周壁部
９２…押上部材の天壁部
９３…押上部材の開口部
【図１】
0005650507.tif 000002
【図２】
0005650507.tif 000003
【図３】
0005650507.tif 000004
【図４】
0005650507.tif 000005